(57)【要約】【課題】防滑性能に優れたテニス靴の提供。【解決手段】テニス靴のアウトソールは、第一突起１８を有している。この第一突起１８の表面は、接地面２２、側面２４及び傾斜面２６を有している。境界面２６の中心から接地面２２の中心へと向かう直線ＣＬは、境界面２６の垂線に対して傾斜している。底面視において、トウサイドからアウトサイド、ヒールサイド及びインサイドを経て上記トウサイドに戻る回転方向が正方向とされたとき、ヒールサイドからトウサイドに向かう直線に対する、直線ＣＬの角度αは、２０°以上２１０°以下である。直線ＣＬの、境界面２６の垂線に対する傾斜角度βは、１５°以上４５°以下である。接地面２２の面積は、６ｍｍ２以上５０ｍｍ２以下である。【選択図】図３
2015116232.tif 000002
【特許請求の範囲】
【請求項１】
ベースと、このベースの底面から下方に突出する多数の突起とを有するアウトソールを備えており、
それぞれの突起が、この突起と上記ベースとの境界である境界面と、接地面とを有しており、
上記境界面の中心から上記接地面の中心へと向かう直線が、上記境界面の垂線に対して傾斜しており、
底面視において、トウサイドからアウトサイド、ヒールサイド及びインサイドを経て上記トウサイドに戻る回転方向が正方向とされたとき、上記ヒールサイドから上記トウサイドに向かう直線に対する、上記境界面の中心から上記接地面の中心へと向かう直線の角度αが、２０°以上２１０°以下であるテニス靴。
【請求項２】
上記角度αが７０°以上１３５°以下である請求項１に記載のテニス靴。
【請求項３】
上記境界面の中心から上記接地面の中心へと向かう直線の、上記境界面の垂線に対する傾斜角度βが、１５°以上４５°以下である請求項１又は２に記載のテニス靴。
【請求項４】
上記接地面の面積が６ｍｍ２以上５０ｍｍ２以下である請求項１から３のいずれかに記載のテニス靴。
【請求項５】
上記ベースの底面の、長さ方向において上記トウサイドからの距離が長さの１０％以上４０％以下であり、上記底面に画かれうる最長線よりもインサイドであるゾーンにおける、上記突起の数が１０以上である請求項１から４のいずれかに記載のテニス靴。
【請求項６】
上記ベースの底面の、長さ方向において上記トウサイドからの距離が長さの１０％以上４０％以下であり、上記底面に画かれうる最長線よりもインサイドであるゾーンにおける、上記底面の面積Ｓに対する、上記底面のうち露出していない部分の面積Ｓ１の比率Ｐが、２０％以上である請求項１から５のいずれかに記載のテニス靴。
【請求項７】
上記突起のアスカーＡ硬度が５０以上である請求項１から６のいずれかに記載のゴルフ靴。
【請求項８】
ベースとこのベースの底面から下方に突出する多数の突起とを有するアウトソールを備えており、それぞれの突起がこの突起と上記ベースとの境界である境界面と接地面とを有しており、上記境界面の中心から上記接地面の中心へと向かう直線が上記境界面の垂線に対して傾斜しているテニス靴の設計方法であって、
（１）測定用靴が地面を蹴るときの水平方向及び鉛直方向の床反力を三次元床反力計で測定するステップ、
（２）上記鉛直荷重及び水平荷重に基づいて、摩擦係数を算出するステップ、
（３）所定の解析区間における、上記摩擦係数が最大である時刻を決定するステップ、
（４）上記時刻における床反力の水平成分のベクトルを求めるステップ、及び
（５）上記ベクトルの方向に基づいて上記突起の仕様を決定するステップ
を含む設計方法。
【請求項９】
上記ステップ（５）において、上記境界面の中心から上記接地面の中心へと向かう直線の方向が、底面視において、上記ベクトルと略一致するように、上記突起の仕様が決定される請求項８に記載の設計方法。
【請求項１０】
（ａ）上記測定用靴が地面を蹴るときの足圧分布を測定するするステップ、及び
（ｂ）底面視において上記足圧分布が大きい位置に、上記突起を配置するステップ
をさらに含む請求項８又は９に記載の設計方法。
【発明の詳細な説明】
【技術分野】
【０００１】
本発明は、テニス靴とその設計方法とに関する。詳細には、本発明は、テニス靴のソールの改良に関する。
【背景技術】
【０００２】
テニスのラリーでは、プレーヤーは、コートの中を激しく移動しつつストロークを行う。プレーヤーは、相手のストロークからボールの方向を予測し、目標地点に向かって移動する。移動の開始のとき、プレーヤーは足で地面を蹴る。このとき、テニス靴が地面とスリップすると、プレーヤーの迅速な移動が阻害される。テニス靴には、防滑性能が要求される。
【０００３】
特開平７−２１３３０４号公報には、三角形の突出部を備えたテニス靴が開示されている。この突出部は、防滑性能に寄与する。
【先行技術文献】
【特許文献】
【０００４】
【特許文献１】特開平７−２１３３０４号公報
【発明の概要】
【発明が解決しようとする課題】
【０００５】
テニスのゲームにおいてプレーヤーは、主として左右に移動する。特開平７−２１３３０４号公報に開示されたテニス靴では、防滑性能は不十分である。
【０００６】
本発明の目的は、防滑性能に優れたテニス靴の提供にある。
【課題を解決するための手段】
【０００７】
本発明に係るテニス靴は、ベースと、このベースの底面から下方に突出する多数の突起とを有するアウトソールを備える。それぞれの突起は、この突起とベースとの境界である境界面と、接地面とを有する。この境界面の中心から接地面の中心へと向かう直線は、境界面の垂線に対して傾斜している。底面視において、トウサイドからアウトサイド、ヒールサイド及びインサイドを経てトウサイドに戻る回転方向が正方向とされたとき、ヒールサイドからトウサイドに向かう直線に対する、境界面の中心から接地面の中心へと向かう直線の角度αは、２０°以上２１０°以下である。好ましくは、この角度αは、７０°以上１３５°以下である。
【０００８】
好ましくは、境界面の中心から接地面の中心へと向かう直線の、境界面の垂線に対する傾斜角度βは、１５°以上４５°以下である。
【０００９】
好ましくは、接地面の面積は、６ｍｍ２以上５０ｍｍ２以下である。
【００１０】
好ましくは、ベースの底面の、長さ方向においてトウサイドからの距離が長さの１０％以上４０％以下であり、底面に画かれうる最長線よりもインサイドであるゾーンにおける、突起の数は、１０以上である。
【００１１】
好ましくは、ベースの底面の、長さ方向においてトウサイドからの距離が長さの１０％以上４０％以下であり、底面に画かれうる最長線よりもインサイドであるゾーンにおける、底面の面積Ｓに対する、底面のうち露出していない部分の面積Ｓ１の比率Ｐは、２０％以上である。
【００１２】
好ましくは、突起のアスカーＡ硬度は、５０以上である。
【００１３】
本発明に係る設計方法により、ベースとこのベースの底面から下方に突出する多数の突起とを有するアウトソールを備えており、それぞれの突起がこの突起とベースとの境界である境界面と接地面とを有しており、境界面の中心から接地面の中心へと向かう直線が境界面の垂線に対して傾斜しているテニス靴が得られる。この設計方法は、
（１）測定用靴が地面を蹴るときの水平方向及び鉛直方向の床反力を三次元床反力計で測定するステップ、
（２）上記鉛直荷重及び水平荷重に基づいて、摩擦係数を算出するステップ、
（３）所定の解析区間における、上記摩擦係数が最大である時刻を決定するステップ、
（４）上記時刻における床反力の水平成分のベクトルを求めるステップ、及び
（５）上記ベクトルの方向に基づいて上記突起の仕様を決定するステップ
を含む。
【００１４】
好ましくは、ステップ（５）において、境界面の中心から接地面の中心へと向かう直線の方向が、底面視において、上記ベクトルと略一致するように、突起の仕様が決定される。
【００１５】
好ましくは、この設計方法は、
（ａ）上記測定用靴が地面を蹴るときの足圧分布を測定するするステップ、及び
（ｂ）底面視において上記足圧分布が大きい位置に、上記突起を配置するステップ
をさらに含む。
【発明の効果】
【００１６】
本発明に係るテニス靴では、プレーヤーが地面を蹴ったときの、テニス靴と地面とのスリップを、突起が抑制する。このテニス靴は、防滑性能に優れる。
【図面の簡単な説明】
【００１７】
【図１】図１は、本発明の一実施形態に係るテニス靴が示された側面図である。
【図２】図２は、図１のテニス靴のアウトソールが示された底面図である。
【図３】図３は、図２のアウトソールの第一突起が示された拡大図である。
【図４】図４は、図３のIV−IV線に沿った拡大断面図である。
【図５】図５は、図３アウトソールが示された斜視図である。
【図６】図６は、図１のテニス靴のための設計方法の一過程において得られた測定結果が示されたグラフである。
【図７】図７は、図１のテニス靴のための設計方法の一過程において得られた測定結果が示されたグラフである。
【図８】図８は、図１のテニス靴のための設計方法の一過程において得られた測定結果が示されたグラフである。
【図９】図９は、図１のテニス靴のための設計方法の一過程において得られた測定結果が示されたグラフである。
【図１０】図１０は、図１のテニス靴のための設計方法の一過程において得られた測定結果が示されたグラフである。
【図１１】図１１は、本発明の他の実施形態に係るテニス靴の第一突起が示された斜視図である。
【図１２】図１２は、本発明のさらに他の実施形態に係るテニス靴の第一突起が示された斜視図である。
【発明を実施するための形態】
【００１８】
以下、適宜図面が参照されつつ、好ましい実施形態に基づいて本発明が詳細に説明される。
【００１９】
図１に示されたテニス靴２は、アッパー４、紐６、インソール８、ミッドソール１０及びアウトソール１２を有している。図１において、符号Ｙで示されているのはテニス靴２の長さ方向であり、符号Ｚで示されているのはテニス靴２の高さ方向である。
【００２０】
アッパー４には、既知の材料が用いられる。天然皮革、合成皮革、人工皮革、織布等が、アッパー４に用いられうる。アッパー４の内面に、内材が貼り付けられてもよい。典型的な内材は、織布である。アッパー４は、鳩目１４を有している。この鳩目１４に、紐６が通されている。
【００２１】
インソール８は、ミッドソール１０と積層されている。インソール８は、織布で覆われた発泡体からなる。インソール８は、足と接触する。このインソール８は、テニス靴２を履く動作において、足の滑りに寄与する。インソール８はまた、履き心地に寄与する。インソール８が設けられなくてもよい。
【００２２】
ミッドソール１０は、発泡体からなる。ミッドソール１０は、好ましくは、多数の独立気泡を含む。着地時に、ミッドソール１０は圧縮変形を起こす。この圧縮変形により、衝撃が吸収される。ミッドソール１０における好ましい基材ポリマーは、エチレン−酢酸ビニル共重合体（ＥＶＡ）である。衝撃吸収性の観点から、ミッドソール１０の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００２３】
アウトソール１２は、ミッドソール１０の下側に位置している。アウトソール１２は、ミッドソール１０と接合されている。接合は、接着剤によって達成されうる。
【００２４】
図２には、アウトソール１２が示されている。図２において、符号Ｘで示されているのはテニス靴２の幅方向であり、符号Ｙで示されているのはテニス靴２の長さ方向である。このアウトソール１２は、左足用である。右足用のアウトソールは、左足用のアウトソール１２の形状が反転した形状を有する。
【００２５】
図２において、左側がインサイドであり、右側がアウトサイドであり、上側がトウサイドであり、下型がヒールサイドである。図２において符号Ｌ１で示されているのは、長さ線である。長さ線Ｌ１は、底面視において、アウトソール１２の輪郭内に画かれうる最長の線である。長さ線Ｌ１は、トウサイドの端１５ｔからヒールサイドの端１５ｈにまで至っている。長さ線Ｌ１の長さは、符号Ｌで示されている。Ｙ方向（長さ方向）は、長さ線Ｌ１の方向と一致している。Ｘ方向（幅方向）は、長さ線Ｌ１の方向と直交している。
【００２６】
このアウトソール１２は、ベース１６と、多数の第一突起１８と、多数の第二突起２０とを有する。それぞれの第一突起１８は、長さ方向の中心よりもトウサイドに位置している。第一突起１８は、長さ線Ｌ１よりもインサイドに位置している。第一突起１８の形状は、後述される。底面視において、それぞれの第二突起２０の輪郭は、円である。第二突起２０の三次元形状は、円柱である。
【００２７】
第一突起１８は、ベース１６の底面から下方に突出している。第一突起１８は、ベース１６と一体的に成形されている。第一突起１８がベース１６とは別に成形されてもよい。ベース１６とは別に成形された第一突起１８は、接着剤によってベース１６に接合されうる。
【００２８】
第二突起２０は、ベース１６の底面から下方に突出している。第二突起２０は、ベース１６と一体的に成形されている。第二突起２０がベース１６とは別に成形されてもよい。ベース１６とは別に成形された第二突起２０は、接着剤によってベース１６に接合されうる。
【００２９】
ベース１６、第一突起１８及び第二突起２０は、架橋ゴムからなる。好ましい基材ゴムとして、天然ゴム、イソプレンゴム、ブタジエンゴム、スチレン−ブタジエンゴム、アクリロニトリル−ブタジエンゴム及びウレタンゴムが例示される。ベース１６、第一突起１８及び第二突起２０が、合成樹脂又はエラストマーからなってもよい。ベース１６が架橋ゴムからなり、第一突起１８及び第二突起２０が合成樹脂又はエラストマーからなってもよい。
【００３０】
図３−５には、第一突起１８が示されている。図４には、この第一突起１８と共に、ベース１６も示されている。第一突起１８の表面は、接地面２２、側面２４及び境界面２６を有している。接地面２２は、プレーヤーが地面を蹴るときにこの地面に接触する面である。本実施形態では、接地面２２の形状は円である。境界面２６は、ベース１６と第一突起１８との境界である。本実施形態では、境界面２６の形状は、楕円である。
【００３１】
図３−５において符号ＣＬで示されているのは、境界面２６の中心Ｐ１及び接地面２２の中心Ｐ２を通過する直線である。直線ＣＬの方向は、第一突起１８の延在方向である。第一突起１８の延在方向は、境界面２６の垂線の方向（一般的には鉛直方向）に対して傾斜している。
【００３２】
図３において符号αで示されているのは、底面視において、ヒールサイドからトウサイドに向かう直線に対する、直線ＣＬの角度である。トウサイドからアウトサイド、ヒールサイド及びインサイドを経てトウサイドに戻る回転方向は、角度αの正方向である。換言すれば、左足用のテニス靴２では、底面視における時計回りが、角度αの正方向である。右足用のテニス靴では、底面視における反時計回りが、角度αの正方向である。
【００３３】
図４において符号βで示されているのは、境界面２６の垂線に対する、直線ＣＬの傾斜角度である。
【００３４】
以下、このテニス靴２の設計方法が説明される。この設計方法のために、三次元床反力計が準備される。この床反力計は、テニス用人工芝の下に置かれる。プレーヤーは、測定用靴を着用する。この測定用靴のアウトソールは、多数の突起を有している。これらの突起は、アウトソールの底面に均一に分布している。それぞれの突起は、円柱形状を有している。測定用靴を着用したプレーヤーは、人工芝の上で、ラリーを行う。
【００３５】
ラリー中のキックは、測定用靴が接地した状態で開始される。キックが開始された時点では、測定用靴の速度はほぼゼロである。キックの終了時点において、測定用靴は地面から離れる。このとき、測定用靴の速度が一気に大きくなる。図６には、キックの前後の、測定用靴の速度の測定結果の一例が示されている。図６では、時刻Ｔｆ以降に、速度が一気に大きくなっている。換言すれば、時刻Ｔｆは、キックが終了した時刻である。
【００３６】
キックの前後に測定用靴に生じる荷重（床反力）のベクトルが、三次元床反力計によって計測されうる。このベクトルの水平成分が、図７に示されている。このベクトルの垂直成分が、図８に示されている。
【００３７】
水平荷重が垂直荷重で除されることにより、摩擦係数が算出されうる。キックの前後における摩擦係数が、図９に示されている。
【００３８】
時刻Ｔｆよりも以前において、摩擦係数が最大である時刻Ｔｍａｘが、図９に基づいて決定される。時刻Ｔｍａｘは、キックにおいて測定用靴のスリップが最も生じやすい時刻である。
【００３９】
時刻Ｔｍａｘにおけるスリップが抑制されるように、第一突起１８の仕様が決定される。具体的には、この時刻Ｔｍａｘにおける、床反力の水平成分のベクトルが求められる。さらに、このベクトルの、ヒールサイドからトウサイドに向かう方向に対する角度θが、決定される。図１０の例では、時刻Ｔｍａｘにおけるベクトルの角度θは、約１００°である。異なる時刻において、角度θが決定されてもよい。時刻は、プレーヤーの個性、テニスコートの特性等が考慮されて、適宜決定される。
【００４０】
このベクトルの角度θに基づき、角度α（図３参照）が決定される。好ましくは、角度θと角度αとの差（θ−α）の絶対値が３０°以下となるように、第一突起１８が配置される。差（θ−α）の絶対値が２０°以下となるように第一突起１８が配置されることが、より好ましい。差（θ−α）の絶対値が１０°以下となるように第一突起１８が配置されることが、特に好ましい。理想的な差（θ−α）の絶対値は、ゼロである。本実施形態では、差（θ−α）の絶対値は、実質的にはゼロである。換言すれば、底面視において、第一突起１８の延在方向は、ベクトルの方向と実質的に一致する。
【００４１】
好ましくは、三次元床反力の測定と同期されて、キックの前後の足圧分布が測定される。この測定は、測定用靴に挿入された足圧センサ（例えばニッタ社の「ｆ−ｓｃａｎ」）によってなされる。足圧センサによって、キックの前後の各時点の足圧分布が求められる。時刻Ｔｍａｘにおける足圧が最大となる箇所が、決定される。この位置及びその近傍に、第一突起１８が配置される。通常のラリーでは、時刻Ｔｍａｘにおける足圧が最大となる箇所の、長さ方向におけるトウサイドからの距離は、長さＬの１０％以上４０％以下である。通常のラリーでは、時刻Ｔｍａｘにおける足圧が最大となる箇所は、長さ線Ｌ１よりもインサイドである。
【００４２】
このテニス靴２では、時刻Ｔｍａｘにおける水平成分のベクトルの方向が、底面視において、第一突起１８の延在方向とほぼ一致している。この第一突起１８は、キック時のスリップを抑制する。このテニス靴２は、防滑性能能に優れる。
【００４３】
防滑性能の観点から、角度αは２０°以上２１０°以下が好ましく、７０°以上２００°以下がより好ましく、７０°以上１３５°以下が特に好ましい。
【００４４】
防滑性能の観点から、第一突起１８の延在方向の、境界面２６の垂線に対する傾斜角度β（図４参照）は、１５°以上４５°以下が好ましく、２５°以上３５°以下が特に好ましい。
【００４５】
図４において、矢印Ｈで示されるのは第一突起１８の高さである。防滑性能の観点から、高さは１ｍｍ以上１０ｍｍ以下が好ましく、２ｍｍ以上７ｍｍ以下が特に好ましい。
【００４６】
それぞれの接地面２２の面積は、６ｍｍ２以上５０ｍｍ２以下が好ましい。この面積が６ｍｍ２以上である第一突起１８は、耐摩耗性に優れる。この観点から、この面積は８ｍｍ２以上がより好ましく、１０ｍｍ２以上が特に好ましい。この面積が５０ｍｍ２以下である第一突起１８は、地面を押し固める。地面の押し固めにより、優れたグリップ性が発揮される。この観点から、この面積は４０ｍｍ２以下がより好ましく、３０ｍｍ２以下が特に好ましい。
【００４７】
第一突起１８のアスカーＡ硬度は、５０以上が好ましい。この硬度が５０以上である第一突起１８は、地面に突き刺さりやすい。この観点から、この硬度は５３以上がより好ましく、５５以上が特に好ましい。アスカーＡ硬度は、タイプＡのデュロメータによって測定される。測定には、厚みが２ｍｍ以上であるシート状の試験片が用いられる。測定時には、３枚の試験片が重ねられる。第一突起１８が樹脂組成物からなる場合、この樹脂組成物と同じ樹脂組成物からなる試験片が用いられる。第一突起１８がゴム組成物が架橋されることで成形されている場合、このゴム組成物と同じゴム組成物が架橋されることで成形された試験片が用いられる。試験片の架橋温度は１６０℃であり、架橋時間は１０分である。測定では、デュロメータの押針の先端が、試験片の端から１２ｍｍ以上離れるようなサイズの試験片が用いられる。試験片は、固くて剛性があり平坦である下地の上に置かれる。押針が試験片の測定面に対して垂直となるように、デュロメータが保持される。この状態から、デュロメータの加圧面に衝撃が加わらない範囲でなるべく速やかに、この加圧面を試験片に密着させる。密着後１秒以内に、デュロメータのメモリを読む。
【００４８】
ベース１６の底面の、長さ方向においてトウサイドからの距離が長さＬの１０％以上４０％以下であり、長さ線Ｌ１よりもインサイドであるゾーンＡにおける、第一突起１８の数Ｎ１ａは、３０以上が好ましい。この数Ｎ１ａが３０以上であるテニス靴２は、防滑性能に優れる。この観点から、この数Ｎ１ａは４０以上が好ましく、５０以上が特に好ましい。この数Ｎ１ａは、２００以下が好ましい。テニス靴２の全体における第一突起１８の総数Ｎ１は、１０以上７００以下が好ましい。
【００４９】
ゾーンＡにおける第二突起２０の数Ｎ２ａは、２０以下が好ましく、１０以下が特に好ましい。Ｎ２ａが、ゼロでもよい。テニス靴２の全体における第二突起２０の総数Ｎ２は、３０以上５００以下が好ましい。
【００５０】
ベース１６の底面は、
（ｉ）第一突起１８に覆われている部分
（ii）第二突起２０に覆われている部分
（iii)露出している部分
からなる。第一突起１８に覆われている部分（ｉ）は、露出していない部分である。第二突起２０に覆われている部分（ii）も、露出していない部分である。露出している部分（iii)は、いずれの突起にも覆われていない部分である。
【００５１】
ゾーンＡにおける、底面の面積は、「Ｓ」で表される。このゾーンＡにおける、底面のうち露出していない部分の面積は、「Ｓ１」で表される。面積Ｓに対する面積Ｓ１の比率Ｐは、２０％以上が好ましい。比率Ｐが２０％以上であるテニス靴２では、突起の座屈が抑制される。この観点から、比率Ｐは３０％以上が特に好ましい。防滑性能の観点から、比率Ｐは７０％以下が好ましく、６０％以下が特に好ましい。
【００５２】
図１１は、本発明の他の実施形態に係るテニス靴の第一突起２８が示された斜視図である。このテニス靴の、第一突起２８以外の仕様は、図１及び２に示されたテニス靴２の仕様と同様である。
【００５３】
第一突起２８の表面は、接地面３０、４つの側面３２及び境界面３４を有している。接地面３０は、プレーヤーが地面を蹴るときにこの地面に接触する面である。本実施形態では、接地面３０の形状は直線である。従って、接地面３０の面積は、理論上はゼロである。実際のテニス靴では、第一突起２８の変形に起因して、接地面３０が面積を有する。境界面３４は、ベース（図示されず）と第一突起２８との境界である。本実施形態では、境界面３４の形状は、四角形である。
【００５４】
図１１において符号ＣＬで示されているのは、境界面３４の中心Ｐ１及び接地面３０の中心Ｐ２を通過する直線である。直線ＣＬの方向は、第一突起２８の延在方向である。第一突起２８の延在方向は、境界面３４の垂線の方向（一般的には鉛直方向）に対して傾斜している。
【００５５】
このテニス靴においても、底面視における、ヒールサイドからトウサイドに向かう直線に対する、直線ＣＬの角度αは、２０°以上２１０°以下が好ましく、７０°以上２００°以下がより好ましく、７０°以上１３５°以下が特に好ましい。
【００５６】
このテニス靴においても、境界面３４の垂線に対する、直線ＣＬの傾斜角度βは、１５°以上４５°以下が好ましく、２５°以上３５°以下が特に好ましい。
【００５７】
図１２は、本発明のさらに他の実施形態に係るテニス靴の第一突起３６が示された斜視図である。このテニス靴の、第一突起３６以外の仕様は、図１及び２に示されたテニス靴２の仕様と同様である。
【００５８】
第一突起３６の表面は、接地面３８、４つの側面４０及び境界面４２を有している。接地面３８は、プレーヤーが地面を蹴るときにこの地面に接触する面である。本実施形態では、接地面３８の形状は点である。従って、接地面３８の面積は、理論上はゼロである。実際のテニス靴では、第一突起３６の変形に起因して、接地面３８が面積を有する。境界面４２は、ベース（図示されず）と第一突起３６との境界である。本実施形態では、境界面４２の形状は、四角形である。
【００５９】
図１２において符号ＣＬで示されているのは、境界面４２の中心Ｐ１及び接地面３８の中心Ｐ２を通過する直線である。直線ＣＬの方向は、第一突起３６の延在方向である。第一突起３６の延在方向は、境界面４２の垂線の方向（一般的には鉛直方向）に対して傾斜している。
【００６０】
このテニス靴においても、底面視における、ヒールサイドからトウサイドに向かう直線に対する、直線ＣＬの角度αは、２０°以上２１０°以下が好ましく、７０°以上２００°以下がより好ましく、７０°以上１３５°以下が特に好ましい。
【００６１】
このテニス靴においても、境界面４２の垂線に対する、直線ＣＬの傾斜角度βは、１５°以上４５°以下が好ましく、２５°以上３５°以下が特に好ましい。
【実施例】
【００６２】
以下、実施例によって本発明の効果が明らかにされるが、この実施例の記載に基づいて本発明が限定的に解釈されるべきではない。
【００６３】
［実施例１］
ポリブタジエンが基材ゴムであるゴム組成物を、モールドに投入した。このゴム組成物を加圧しかつ加熱して、ベース、第一突起及び第二突起を有するアウトソールを成形した。このアウトソールに、アッパー、ミッドソール及びインソールをアッセンブリーし、実施例１のゴルフ靴の対を得た。この対は、右足用ゴルフ靴及び左足用ゴルフ靴からなる。それぞれのゴルフ靴では、第一突起の総数Ｎ１は１１０であり、ゾーンＡにおける第一突起の数Ｎ１ａは９０であり、第二突起の総数Ｎ２は１４４であり、ゾーンＡにおける第二突起の数Ｎ２ａは１２である。アウトソールの仕様の詳細が、下記の表２に示されている。このアウトソールは、図２に示された形状を有する。
【００６４】
［比較例１］
第一突起を設けず、多くの第二突起を設けた他は実施例１と同様にして、比較例１のゴルフ靴を得た。
【００６５】
［実施例２−５及び比較例２−３］
突起の角度αを下記の表１−２に示される通りとした他は実施例１と同様にして、実施例２−５及び比較例２−３のゴルフ靴を得た。
【００６６】
［実施例６−９］
突起の傾斜角度βを下記の表３に示される通りとした他は実施例１と同様にして、実施例６−９のゴルフ靴を得た。
【００６７】
［実施例１０−１５］
ゾーンＡに第一突起のみを設け、この第一突起の数とサイズを下記の表４に示される通りとした他は実施例１と同様にして、実施例１０−１５のゴルフ靴を得た。
【００６８】
［実施例１６−１８］
ゾーンＡに第一突起のみを設け、この第一突起の数と比率Ｐとを下記の表５に示される通りとした他は実施例１と同様にして、実施例１６−１８のゴルフ靴を得た。
【００６９】
［評価］
テニス靴を、プレーヤーに着用させた。このプレーヤーに、砂入り人工芝のテニスコートでラリーを行わせた。このプレーヤーに、防滑性能について、下記の基準に基づいて格付けさせた。この結果が、下記の表１−５に示されている。
Ａ：よい
Ｂ：ややよい
Ｃ：やや悪い
Ｄ：悪い
【００７０】
【表１】
2015116232.tif 000003
【００７１】
【表２】
2015116232.tif 000004
【００７２】
【表３】
2015116232.tif 000005
【００７３】
【表４】
2015116232.tif 000006
【００７４】
【表５】
2015116232.tif 000007
【００７５】
表１−５に示されるように、各実施例のテニス靴は、防滑性能に優れている。この評価結果から、本発明の優位性は明らかである。
【産業上の利用可能性】
【００７６】
本発明に係るテニス靴は、砂入り人工芝コート、クレーコート、グラスコート等において使用されうる。
【符号の説明】
【００７７】
２・・・テニス靴
１２・・・アウトソール
１６・・・ベース
１８、２８、３６・・・第一突起
２０・・・第二突起
２２、３０、３８・・・接地面
２４、３２、４０・・・側面
２６、３４、４２・・・境界面
【図１】
2015116232.tif 000008
【図２】
2015116232.tif 000009
【図３】
2015116232.tif 000010
【図４】
2015116232.tif 000011
【図５】
2015116232.tif 000012
【図６】
2015116232.tif 000013
【図７】
2015116232.tif 000014
【図８】
2015116232.tif 000015
【図９】
2015116232.tif 000016
【図１０】
2015116232.tif 000017
【図１１】
2015116232.tif 000018
【図１２】
2015116232.tif 000019